(57)【要約】【課題】従来の複合体では、溶接の熱影響による補強部材の劣化防止と、金属プレートと補強部材との一体化による強度確保とを両立させることが難しかった。【解決手段】金属プレート１と、金属プレート１を被覆する樹脂製の補強部材２とを備えた複合体Ａであって、金属プレート１が、表面を露出させた接合部１１を有すると共に、接合部１１に、他部材Ｂとの被溶接部３を有し、接合部１１に、被溶接部３を中心とする溶接の熱影響範囲４を設定し、補強部材２が、熱影響範囲４を含まない領域を被覆する本体部５と、本体部５から被溶接部３に至る方向において、被溶接部３の側方に向かって突出し且つ本体部５に連続する凸部６とを有する構成にし、溶接の熱影響による補強部材２の劣化を防止しつつ、金属プレート１と補強部材２との一体化による強度を確保した。【選択図】図１
2020104265.tif 000002
【特許請求の範囲】
【請求項１】
金属プレートと、前記金属プレートを被覆する樹脂製の補強部材とを備えた複合体であって、
前記金属プレートが、表面を露出させた接合部を有すると共に、前記接合部に、他部材との被溶接部を有し、
前記接合部に、前記被溶接部を中心とする溶接の熱影響範囲を設定し、
前記補強部材が、前記熱影響範囲を含まない領域を被覆する本体部と、前記本体部から前記被溶接部に至る方向において、前記被溶接部の側方に向かって突出し且つ前記本体部に連続する凸部とを有することを特徴とする複合体。
【請求項２】
金属プレートと、前記金属プレートを被覆する樹脂製の補強部材とを備えた複合体であって、
前記金属プレートが、表面を露出させた接合部を有すると共に、前記接合部に、他部材との被溶接部を有し、
前記接合部に、前記被溶接部を中心とする溶接の熱影響範囲を設定し、
前記補強部材の前記接合部側の端部が、前記熱影響範囲の配列に基づく波形状を成していることを特徴とする複合体。
【請求項３】
前記金属プレートの前記接合部が、少なくとも表面の一部に、凹凸又は多孔質である微細構造を有することを特徴とする請求項１又は２に記載の複合体。
【請求項４】
前記接合部の微細構造が、表面を露出させると共に、その空処に充填した樹脂を含むことを特徴とする請求項３に記載の複合体。
【請求項５】
前記接合部の表面に、金属酸化物が形成してあることを特徴とする請求項１〜４のいずれか１項に記載の複合体。
【請求項６】
前記熱影響範囲と前記補強部材とが、部分的に重複していることを特徴とする請求項１〜５のいずれか１項に記載の複合体。
【請求項７】
前記補強部材は、前記被溶接部との距離が短い方が、樹脂の結晶性が高いことを特徴とする請求項１〜６のいずれか１項に記載の複合体。
【発明の詳細な説明】
【技術分野】
【０００１】
本発明は、金属プレートと、金属プレートを被覆する樹脂製の補強部材とを備えた複合体に関し、例えば、自動車の車体パネルや骨格部材などの車両部品に用いられる複合体に関するものである。
【背景技術】
【０００２】
従来の複合体としては、自動車の車体構造の枠側部材という名称で特許文献１に記載されたものがある。特許文献１に記載の複合体は、金属製の外枠と金属製の内枠との間に形成された空間に、樹脂製の補強構造物をアウトサート成形した構造である。
【０００３】
上記のような車体構造に用いられる複合体は、溶接により別の複合体や金属部材等の他部材と接合される。溶接は、代表的にスポット溶接である。このため、複合体は、金属表面が露出した接合部を予め設けておき、この接合部にスポット溶接を行うことで、他部材と接合される。
【先行技術文献】
【特許文献】
【０００４】
【特許文献１】特許第５５２３８４９号公報
【発明の概要】
【発明が解決しようとする課題】
【０００５】
ここで、上記したような金属プレートと樹脂製の補強部材とから成る複合体にスポット溶接を行う際、溶接部と補強部材との距離が近い場合には、補強部材（樹脂）が溶接の熱影響を受けて劣化し、金属プレートと補強部材との間に剥離が生じるおそれがある。この金属プレートと補強部材の剥離は、初期の剥離部分を起点として次第に伸展するので、複合体の強度低下を招く原因になる。
【０００６】
他方、溶接部と補強部材との距離が遠い場合には、樹脂に対する熱影響は減少するが、金属プレートにおける樹脂の未被覆部分が増すため、その分、金属プレートと補強部材との一体化による強度が損なわれ、複合体の強度低下を招く原因になる。この場合、強度を補うために金属プレートの厚さを増大させるなどの対策も考えられるが、接合部のみの厚さを増大させることは困難であるし、全体の厚さを増せば重量増加になるので、現実的ではない。
【０００７】
本発明は、上記従来の状況に鑑みて成されたものであって、金属プレートと樹脂製の補強部材とを備えた複合体において、溶接の熱影響による補強部材の劣化を防止しつつ、金属プレートと補強部材との一体化による強度を確保し得る複合体を提供することを目的としている。
【課題を解決するための手段】
【０００８】
本発明に係わる複合体は、金属プレートと、前記金属プレートを被覆する樹脂製の補強部材とを備えた複合体である。この複合体は、前記金属プレートが、表面を露出させた接合部を有すると共に、前記接合部に、他部材との被溶接部を有している。そして、複合体は、前記接合部に、前記被溶接部を中心とする溶接の熱影響範囲を設定し、前記補強部材が、前記熱影響範囲を含まない領域を被覆する本体部と、前記本体部から被溶接部に至る方向において、前記本体部から前記被溶接部の側方に向かって突出し且つ前記本体部に連続する凸部とを有することを特徴としている。
【発明の効果】
【０００９】
本発明に係わる複合体は、接合部に他部材を重ねて被溶接部に溶接を行うことにより、他部材と接合される。溶接は、代表的にスポット溶接である。その際、複合体は、樹脂製の補強部材が、被溶接部を中心とする熱影響範囲を含まない領域を被覆する本体部を有するので、この本体部では、溶接の熱影響が回避される。また、複合体は、補強部材が、本体部から被溶接部に至る方向において、被溶接部の側方に向かって突出し且つ本体部に連続する凸部を有するので、この凸部により、熱影響を抑制しつつ金属プレートと補強部材との接触面積を補完的に確保する。
【００１０】
このようにして、本発明に係わる複合体は、金属プレートと樹脂製の補強部材とを備えた複合体において、溶接の熱影響による補強部材の劣化を防止しつつ、金属プレートと補強部材との一体化による強度を確保することができる。
【図面の簡単な説明】
【００１１】
【図１】本発明に係わる複合体の第１実施形態を説明する平面図である。
【図２】図１に示す複合体のＸ−Ｘ線矢視に基づく断面図である。
【図３】従来例として、金属プレートと補強部材の接合範囲と、被溶接部との位置関係を示す断面図及び平面図である。
【図４】本発明の実施形態として、金属プレートと補強部材の接合範囲と、被溶接部との位置関係を示す断面図及び平面図である。
【図５】本発明の他の実施形態として、金属プレートと補強部材の接合範囲と、被溶接部との位置関係を示す断面図及び平面図である。
【図６】接合部の微細構造を示す断面図である。
【図７】微細構造の空処に樹脂を充填した状態を示す断面図である。
【図８】被溶接部から補強部材に至る距離と接合強度との関係を示すグラフである。
【図９】図８に示す比較例１〜３及び実施例の夫々の複合体を説明する平面図（Ａ）〜（Ｄ）である。
【図１０】本発明に係わる複合体の第２実施形態を説明する平面図である。
【図１１】図７に示す複合体のＸ−Ｘ線矢視に基づく断面図である。
【図１２】本発明に係わる複合体の第３実施形態を説明する平面図である。
【図１３】本発明に係わる複合体の第４実施形態を説明する平面図である。
【発明を実施するための形態】
【００１２】
〈第１実施形態〉
図１に一部を示す複合体Ａは、金属プレート１と、金属プレート１を被覆する樹脂製の補強部材２を備えている。この実施形態の複合体Ａは、図２に示すように、金属プレート１の片面に補強部材２を備えている。
【００１３】
複合体Ａの金属プレート１は、材料や全体形状がとくに限定されるものではないが、例えば、アルミニウム合金であって、平面状の他、プレス加工等により三次元形状に成形したものであっても良い。
【００１４】
他方、補強部材２は、図示例では一定の厚さを有するが、部分的に厚さが異なるのでも良い。また、補強部材２の材料である樹脂は、繊維強化樹脂（ＦＲＰ）を含み、とくに、複合体Ａが車両部品である場合には、代表的に、炭素繊維を用いた炭素繊維強化熱可塑性樹脂（ＣＦＲＴＰ）が用いられる。
【００１５】
金属プレート１は、その端部に、表面（金属表面）を露出させた接合部１１を有している。接合部１１は、金属プレート１の縁に沿って、図２に示す他部材Ｂとの被溶接部３を所定間隔で有している。被溶接部３には、後記するスポット溶接が行われる。
【００１６】
また、接合部１１には、各被溶接部３を中心とする溶接の熱影響範囲４が夫々設定してある。熱影響範囲４は、補強部材２を形成する樹脂に劣化等の熱影響を及ぼす可能性がある範囲であり、溶接の熱が放射状に広がるので、被溶接部３を中心とするほぼ円形の範囲である。
【００１７】
この熱影響範囲４は、スポット溶接の条件、金属プレート１及び補強部材２の材料や厚さ、被溶接部３の間隔、並びに要求強度などを考慮して設定することができ、試験的に求めることも当然可能である。
【００１８】
上記の複合体Ａは、補強部材２が、熱影響範囲４を含まない領域を被覆する本体部５と、本体部５から被溶接部３に至る方向において、被溶接部３の側方に向かって突出し且つ本体部５に連続する凸部６とを有している。本体部５は、金属プレート１を被覆する主要部分であって、図１では、各熱影響範囲４の輪郭に接する共通の直線５Ａ、又は輪郭から僅かに離間した共通の直線５Ａよりも下側の領域（反接合部１１側の領域）である。
【００１９】
また、各凸部６は、本体部５から被溶接部３に至る方向（図１中で上方向）において、被溶接部３の側方の位置、すなわち、各被溶接部３の配列中心線７と熱影響範囲４の輪郭（点線円）との交点付近の位置に頂点を有し、本体部５との連続部分を底辺とする略三角形状を成している。これらの凸部６は、熱影響範囲４を除く範囲を被覆している。
【００２０】
これにより、複合体Ａは、補強部材２の接合部１１側の端部が、熱影響範囲４の配列に基づく波形状を成している。この実施形態では、補強部材２の端部が、熱影響範囲４の半円に相当する円弧を並べて、全体として波形状を成している。つまり、複合体Ａにおける波形状は、基本的に凹凸を連続的に繰り返す形状であって、熱影響範囲４の配置や凸部６の形状により決定される。
【００２１】
上記構成を備えた複合体Ａは、例えば、射出成形により製造することができる。射出成形に用いる金型は、複合体Ａの大きさ及び形状のキャビティを有する。また、金属プレート１は、補強部材２との接合強度をより高めるために、予め、表面に粗面化処理を施しておくことも有効である。
【００２２】
そして、射出成形では、金型内に金属プレート１を配置し、残るキャビティ（補強部材の成形空間）に溶融樹脂を加圧充填する。これにより、金属プレート１と樹脂製の補強部材２とを一体化した複合体Ａが得られる。
【００２３】
そして、上記の複合体Ａは、図２に示すように、接合部１１に他部材Ｂを重ねて被溶接部３にスポット溶接を行うことにより、他部材Ｂと接合する。その際、複合体Ａは、樹脂製の補強部材２が、被溶接部３を中心とする熱影響範囲４を含まない領域を被覆する本体部５を有するので、この本体部５では、補強部材２に対する溶接の熱影響が回避される。
【００２４】
また、複合体Ａは、補強部材２が、本体部５から被溶接部３に至る方向において、被溶接部３の側方に向かって突出し且つ本体部５に連続する凸部６を有するので、凸部６により、熱影響を抑制しつつ金属プレート１と補強部材２との接触面積を補完的に確保する。
【００２５】
このように、複合体Ａは、金属プレート１と樹脂製の補強部材２とを備えた複合体において、補強部材２が本体部５と凸部６とを有する構成にし、また、補強部材２の端部が熱影響範囲４の配列に基づく波形状を成している構成にしている。これにより、複合体Ａは、溶接の熱影響による補強部材２の劣化を防止しつつ、金属プレート１と補強部材２との一体化による強度をに確保することができる。
【００２６】
ここで、図３〜図５は、金属プレート１と補強部材２の接合範囲ＣＡと、被溶接部３との位置関係を示す図である。なお、実際の複合体Ａは、図２に示すように、金属プレート１の接合部１１を除く領域が補強部材２により被覆される。これに対して、図３〜図５では、説明の都合上、金属プレート１及び補強部材２の一部同士を接合してこれを接合範囲ＣＡとし、金属プレート１に他部材Ｂをスポット溶接（図３中の矢印）した場合を示している。
【００２７】
図３に示す複合体Ａは、従来例として、補強部材２が熱影響範囲４を含まない領域を被覆する本体部５のみを有する構造を有しており、金属プレート１と補強部材２との重なる部分が接合範囲ＣＡである。
【００２８】
図４示す複合体Ａは、本発明の実施形態として、補強部材２が本体部５及び凸部６を有する構造を有している。この複合体Ａは、図３に示す従来例に比べて、接合範囲ＣＡが大きいことが一目瞭然であり、溶接の熱影響による補強部材２の劣化を防止しつつ、金属プレート１と補強部材２との一体化による強度がより一層向上する。
【００２９】
図５に示す複合体Ａは、本発明の他の実施形態として、補強部材２が本体部５及び凸部６を有する構造を有しており、図３に示す従来例に比べて、被溶接部３が補強部材３側にずれている。このため、複合体Ａは、本体部５も補強部材３側にずれるが、凸部６により、充分な接合範囲ＣＡを補完的に確保している。
【００３０】
このように、本発明に係わる複合体Ａは、被溶接部３の位置を変えても、熱影響による補強部材２の劣化を防止しつつ、金属プレート１と補強部材２との充分な接合面積ＣＡを確保し得る。これにより、複合体Ａは、スポット溶接位置（打点）の設定の自由度が高められ、ひいては他部材Ｂをも含む設計の自由度を高めることができる。
【００３１】
また、本発明に係わる複合体Ａは、より好ましい実施形態として、図６に接合部１１の一部を示すように、接合部１１の少なくとも表面の一部に、凹凸又は多孔質である微細構造Ｍを有する構造にする。これにより、複合体Ａは、接合部１１の表面積を増大させて、溶接時の放熱効果を高め、溶接の熱影響による補強部材２の劣化をより確実に防止することができる。
【００３２】
さらに、本発明に係わる複合体Ａは、より好ましい実施形態として、図７に接合部１１の一部を示すように、上記の微細構造Ｍが、表面を露出させると共に、その空処Ｐに充填した樹脂Ｒを含む構造にする。これにより、複合体Ａは、接合部１１の表面における熱の侵入を抑制若しくは遮断して、溶接の熱影響による補強部材２の劣化をより確実に防止する。
【００３３】
上記接合部１１の微細構造Ｍは、例えば、ブラスト処理、レーザ加工、及び化成処理等により形成することができ、また、空処Ｐに樹脂Ｒを充填した構造では、樹脂の充填後、表面を研磨して平滑化しても良い。
【００３４】
さらに、本発明に係わる複合体Ａは、より好ましい実施形態として、接合部１１の表面に、金属酸化物（図示略）が形成してある構造にする。これにより、複合体Ａは、接合部１１の表面における熱伝導を抑制若しくは遮断して、溶接の熱影響による補強部材２の劣化をより確実に防止する。
【００３５】
さらに、本発明に係わる複合体Ａは、熱影響範囲４と補強部材２とが、部分的に重複している構造にすることができる。また、補強部材２は、被溶接部３との距離が短い方が、樹脂の結晶性が高い構造にすることができる。本発明に係わる複合体Ａは、熱影響による樹脂製の補強部材３の劣化を防ぐことが主目的であるが、被溶接部３と補強部材２との距離（熱影響範囲４の大きさ）を適切に設定することで、樹脂のアニール効果が得られる。
【００３６】
すなわち、成形後の樹脂は、所定の熱を付与することにより、結晶性が高まり、接合強度が向上することが周知である。そこで、本発明に係わる複合体Ａは、補強部材２の一部に溶接による熱を付与して樹脂のアニール効果を発現させ、金属プレート１と補強部材２との接合強度をより一層向上させる。
【００３７】
このため、複合体Ａでは、熱影響範囲４を設定する際、本体部５から連続して突出する凸部６の形状や大きさを選択して、熱影響範囲４と補強部材２とが部分的に重複するようにし、この重複部分で樹脂のアニール効果を発現させる。
【００３８】
換言すれば、複合体Ａは、アニール効果が得られるように熱影響範囲４の大きさや形状を設定する。そして、補強部材２は、被溶接部３との距離が短い方が、樹脂の結晶性が高い構造になり、金属プレート１との接合強度がより一層向上したものとなる。
【００３９】
図８のグラフは、被溶接部３から補強部材２に至る距離と、金属プレート１及び補強部材２の接合強度との関係を示すグラフである。接合強度は、例えば、図９（Ａ）〜（Ｄ）に示すような金属プレート１及び補強部材２に相当する夫々の試験片を端部同士で一体化し、金属プレート１の試験片に他部材に相当する試験片をスポット溶接した後、引張試験機を用いて、金属と樹脂との一体化部分に引張荷重を付与し、一体化部分が破断した際の荷重である。
【００４０】
図９（Ａ）に示す比較例１の複合体は、補強部材２が本体部５のみで、凸部（６）が無いものであり、被溶接部３から補強部材２に至る距離が短く、被溶接部３が補強部材２の縁の脇にある。この比較例１の複合体では、補強部材３が溶接の熱影響により劣化し、接合強度が低くなる。
【００４１】
図９（Ｂ）に示す比較例２の複合体は、補強部材２が本体部５のみで、凸部（６）が無いものであり、被溶接部３から補強部材２に至る距離が比較例１よりも若干長く、被溶接部３が補強部材２の近傍にある。比較例２の複合体では、比較例１と同様に、補強部材３が溶接の熱影響により劣化し、接合強度が低くなる。
【００４２】
図９（Ｃ）に示す比較例３の複合体は、補強部材３が本体部５のみで、凸部（６）が無いものであり、被溶接部３から補強部材２に至る距離が長く、熱影響範囲４と補強部材２とが離れている。比較例３の複合体では、補強部材３が溶接の熱影響を受けない分だけ、比較例１及び２よりも大きい接合強度が得られる。なお、被溶接部３から補強部材２に至る距離が離れるほど、補強部材２と金属プレート１との接触面積が減少するため、接合強度が低下する。
【００４３】
図９（Ｄ）に示す実施例の複合体は、補強部材２が本体部５及び凸部６を有するものであり、被溶接部３から補強部材２に至る距離が適切に設定してある。実施例の複合体では、補強部材２が劣化するような熱影響が抑制されるうえに、凸部６により金属プレート１と補強部材２との接合強度が補完的に確保される。
【００４４】
しかも、実施例の複合体は、熱影響範囲４の大きさ等を適切に設定することで、樹脂のアニール効果の発現が期待できる。これにより、実施例の複合体は、比較例１〜３に比べて、金属プレート１と補強部材２との接合強度が明らかに向上している。
【００４５】
〈第２実施形態〉
図１０及び図１１に示す複合体Ａは、第１実施形態と同様の基本構成を有している。図示の複合体Ａは、金属プレート１と樹脂製の補強部材２とを備えている。金属プレート１は、接合部１１を有し、接合部１１に、複数の被溶接部３を有すると共に、各被溶接部３を中心とする溶接の熱影響範囲４が夫々設定してある。
【００４６】
また、複合体Ａは、補強部材２が、熱影響範囲４を含まない領域を被覆する本体部５と、この本体部５から被溶接部３に至る方向において、熱影響範囲４を避けるようにして被溶接部３の側方に向かって突出する凸部６とを有している。この実施形態における凸部６は、被溶接部３の側方に向かう位置として、隣接する被溶接部３，３同士の間の位置に向かって突出する矩形の範囲である。
【００４７】
これにより、複合体Ａは、補強部材２の接合部１１側の端部が、熱影響範囲４の配列に基づく波形状を成している。つまり、この実施形態の複合体Ａは、凸部６の形状により、補強部材２の端部が、凹凸を連続させた波形状を成している。
【００４８】
上記の複合体Ａは、図１１に矢印で示すスポット溶接により、接合部１１に他部材Ｂが接合される。この複合体Ａは、第１実施形態と同様に、本体部５では、補強部材２に対する溶接の熱影響が回避されると共に、凸部６により、熱影響を抑制しつつ金属プレート１と補強部材２との接触面積を補完的に確保することができる。
【００４９】
〈第３実施形態〉
図１２に示す複合体Ａは、先の実施形態と同様の基本構成を有し、金属プレート１と樹脂製の補強部材２とを備えている。金属プレート１は、接合部１１を有し、接合部１１に、複数の被溶接部３を有すると共に、各被溶接部３を中心とする溶接の熱影響範囲４が夫々設定してある。
【００５０】
また、複合体Ａは、補強部材２が、熱影響範囲４を含まない領域を被覆する本体部５と、この本体部５から被溶接部３に至る方向において、被溶接部３の側方に向かって突出し且つ本体部５に連続する凸部６とを有している。凸部６は、被溶接部３の側方の位置として、隣接する被溶接部３，３同士の間の位置に頂点が突出する三角形の範囲である。
【００５１】
これにより、複合体Ａは、補強部材２の接合部１１側の端部が、熱影響範囲４の配列に基づく波形状を成している。つまり、この実施形態の複合体Ａは、凸部６の形状により、補強部材２の端部が、ジグザグの波形状を成している。また、複合体Ａは、先述した樹脂のアニール効果を発現し得る熱影響範囲４を設定し、熱影響範囲４と補強部材２との一部同士が重なる重複範囲ＲＡを有している。
【００５２】
上記の複合体Ａは、接合部１１に他部材（Ｂ）が接合され、先の実施形態と同様に、本体部５では、補強部材２に対する溶接の熱影響が回避されると共に、凸部６により、熱影響を抑制しつつ金属プレート１と補強部材２との接触面積を補完的に確保することができる。また、複合体Ａは、熱影響範囲４と樹脂製の補強部材２との重複範囲ＲＡにおいて樹脂のアニール効果を発現し、金属プレート１と補強部材２との接合強度のさらなる向上を実現する。
【００５３】
〈第４実施形態〉
図１３に示す複合体Ａは、先の実施形態と同様の基本構成を有し、金属プレート１と樹脂製の補強部材２とを備えている。金属プレート１は、接合部１１を有し、接合部１１に、複数の被溶接部３を有すると共に、各被溶接部３を中心とする溶接の熱影響範囲４が夫々設定してある。
【００５４】
また、複合体Ａは、補強部材２が、熱影響範囲４を含まない領域を被覆する本体部５と、この本体部５から被溶接部３に至る方向において、熱影響範囲４を避けるようにして被溶接部３の側方に向かって突出し且つ本体部５に連続する凸部６とを有している。この実施形態における凸部６は、被溶接部３の側方の位置として、隣接する被溶接部３，３同士の間の位置に山部の頂点が突出する概略三角形の範囲である。
【００５５】
これにより、複合体Ａは、凸部６の形状により、補強部材２の接合部１１側の端部が、熱影響範囲４の配列に基づく波形状を成している。つまり、この実施形態の複合体Ａは、補強部材２の端部が、曲線から成る波形状である。
【００５６】
上記の複合体Ａは、接合部１１に他部材（Ｂ）が接合され、先の実施形態と同様に、本体部５では、補強部材２に対する溶接の熱影響が回避されると共に、凸部６により、熱影響を抑制しつつ金属プレート１と補強部材２との接触面積を補完的に確保することができる。
【００５７】
本発明に係わる複合体は、その構成が上記各実施形態に限定されるものではなく、本発明の要旨を逸脱しない範囲で適宜変更したり、各実施形態の構成を組み合わせたりすることが可能である。また、熱影響領域の大きさや、補強部材の端部である波形状は、金属プレートの材質や厚さ、補強部材に用いる樹脂の種類、溶接温度、被溶接部の配置、及び要求強度等の諸条件を考慮して適宜選択することが可能である。
【符号の説明】
【００５８】
Ａ  複合体
Ｂ  他部材
Ｍ  微細構造
Ｐ  空処
Ｒ  樹脂
ＲＡ  熱影響範囲と補強部材との重複範囲
１  金属プレート
２  補強部材
３  被溶接部
４  熱影響範囲
５  本体部
６  凸部
１１  接合部
【図１】
2020104265.tif 000003
【図２】
2020104265.tif 000004
【図３】
2020104265.tif 000005
【図４】
2020104265.tif 000006
【図５】
2020104265.tif 000007
【図６】
2020104265.tif 000008
【図７】
2020104265.tif 000009
【図８】
2020104265.tif 000010
【図９】
2020104265.tif 000011
【図１０】
2020104265.tif 000012
【図１１】
2020104265.tif 000013
【図１２】
2020104265.tif 000014
【図１３】
2020104265.tif 000015